(57)【要約】【課題】空気調和機本体の内部に設けられた熱交換器において発生した凝縮水を受けるドレンパンと、該ドレンパンに接続され、上記凝縮水を室外に排出するドレンホースを備えてなる空気調和機に係り、特に例えば、上記ドレンホースの上記ドレンパンへの接続端部近傍に、空気調和機前面方向へ突出する操作金具を設け、ドレンホースの操作性などを向上させた空気調和機を提供すること。【解決手段】空気調和機本体の内部に設けられた熱交換器において発生した凝縮水を受けるドレンパンと、該ドレンパンに接続され、上記凝縮水を室外に排出するドレンホースを備えてなる空気調和機において、上記ドレンホースの上記ドレンパンへの接続端部近傍に、空気調和機前面方向へ突出する操作金具を設けた空気調和機。【選択図】　図１
2004093049.tif 000002
【特許請求の範囲】
【請求項１】
空気調和機本体の内部に設けられた熱交換器において発生した凝縮水を受けるドレンパンと、該ドレンパンに接続され、前記凝縮水を排出するドレンホースを備えてなる空気調和機において、
前記ドレンパンへのドレンホース接続部近傍に、操作金具を設けたことを特徴とする空気調和機。
【請求項２】
前記操作金具を、本体前方向へ突出して設けたことを特徴とする請求項１記載の空気調和機。
【請求項３】
前記操作金具が略Ｌ字状に形成され、前記ドレンホースへの取付部が、前記ドレンホースを抱持するように略Ｕ字状に形成されてなる請求項１若しくは２に記載の空気調和機。
【請求項４】
前記略Ｕ字状部が前記略Ｌ字の屈曲部の方向に開放された形状である請求項３に記載の空気調和機。
【請求項５】
前記ドレンパンに前記操作金具を案内するガイド部材が設けられてなる請求項１〜請求項４のいずれかに記載の空気調和機。
【請求項６】
前記略Ｕ字状取付部に平行して、別の略Ｕ字状の補助金具が前記ドレンホースに装着されてなる請求項３〜請求項５のいずれかに記載の空気調和機。
【請求項７】
前記操作金具を本体に固定する固定手段を設け、該固定手段は、本体の前方向から操作可能な固定手段であることを特徴とする請求項２〜請求項６のいずれかに記載の空気調和機。
【発明の詳細な説明】
【０００１】
【発明の属する技術分野】
本発明は、空気調和機本体の内部に設けられた熱交換器において発生した凝縮水を受けるドレンパンと、該ドレンパンに接続され、上記凝縮水を室外に排出するドレンホースを備えてなる空気調和機に係り、特に例えば、上記ドレンホースの上記ドレンパンへの接続端部近傍に、空気調和機前面方向へ突出する操作金具を設け、ドレンホースの操作性などを向上させた空気調和機に関するものである。
【０００２】
【従来の技術】
空気調和機はその機能上、冷房運転をすると、室内側の熱交換器に凝縮水が発生する。前記凝縮水は前記熱交換器の下に配置されているドレンパンに流れ込み、ドレンパンに接続されたドレンホースにて、室外に排水される。上記ドレンパンと上記ドレンホースとの接続は、圧入方式や挿入後回転させてロックする方式や、金具とネジなどにより固定する方式などがある。
例えば、従来例１として図１０に示すように、ドレンホース６の端部に形成された環状溝６ａにホース固定金具７を挿入し、ドレンパン５の出口部５ａに斜め後方へドレンホース６を取付け、緩み止めとしてネジ８を上記固定金具７のねじ挿入孔７ａに差し込み、ネジ８を締め付けるものが存在する。
しかし空気調和機は壁面にとりつけられており、この止め方では、ネジ８の操作が、空気調和機の室内機後側から行なわれるため、サービス時などに、ドレンホース６を取り外す場合、室内機のその他の構成部品を取り外すか、もしくは、製品の外郭を一部取り外せるようにして、前記ドレンホース６の脱着を行う必要があった。
そのためこの方法では、ネジ８の操作を室内機後側から行なうために、単にドレンホースを外すためだけの目的で、上記のように室内機を壁から取り外したり、更にはネジ８より後にある部品を外すなどの手間が必要で、操作性が悪かった。
これらの対策としていろいろな提案がなされている。例えば、従来例２（特許文献１）では、ドレンホースの外周に複数の係止片を具える筒状体をその先端に具え、ベース下部の切欠き部に設けた扇形孔部に保持する提案がなされている。
また、他の公知例としての従来例３（特許文献２）では、ドレン排出口に係合爪を設け、この係合爪とドレンホースの接続口部材に設けられた係合爪によってドレンホースをドレン排出口にワンタッチで固定接続する提案がなされている。
さらに、別の公知例としての従来例４（特許文献３）では、ドレンホースに凸条を備え、露受皿背面に設けられた垂下鉤部に上部の係止片を係止し、露受皿の底部下面に設けられたボス部に止めネジを挿通して固定される透孔を備えるホース押えにより、露受皿方向に押圧固定する提案がなされている。
【０００３】
【特許文献１】
実開平４−１１３８２０公報
【特許文献２】
特開平９−１１２９４８公報
【特許文献３】
実開平４−１１３８１９公報
【０００４】
【発明が解決しようとする課題】
しかしながら、上述の従来例２または従来例３では、保守・点検等でドレンホースの取外しが必要な時に、従来例１と同様、製品の背面より手を入れてドレンホースの取外しを行う必要が有り、その作業は通常高所での作業となり、また製品を両手で持ち上げた状態で行うことになるため、危険を伴い且つ一人では行えないような作業であった。
また従来例４の提案では、ドレンホースの取外し時に、製品の底面より作業を行うことができるが、底面より手を製品内部へ挿入し、奥まったところにある係止片の掛りを外す必要があり、この盲作業に熟練した者ならばともかく、ドレンホースを取外す必要のある保守・点検はそれほど頻繁にあるものではなく、結果として困難な作業となっていた。
本発明は以上の状況に鑑みてなされたものであり、ドレンパンとドレンホースを容易に且つ安全に脱着させる構造を持つ空気調和機の提供を目的とする。
【０００５】
【課題を解決するための手段】
この課題を解決するために本発明は、ドレンホースのドレンパンへの接続端部近傍に、空気調和機前面方向へ突出する操作金具を設け、ドレンホースを空気調和機本体の前面側から着脱可能とした空気調和機である。
また上記操作金具の固定状態を安定させるために、該操作金具を空気調和機本体に固定する固定手段を設けることができる。
更に上記操作金具のドレンホースへの取付性を向上させるように、操作金具を側面から見て略Ｌ字状に形成し、該操作金具の上記ドレンホースへの取付部を、上記ドレンホースを抱持するように略Ｕ字状に形成することが望ましい。
この場合、上記略Ｕ字状部の強度を向上させるには、上記略Ｕ字状部が上記略Ｌ字の屈曲部の方向に開放された形状であることが望ましい。
そして操作金具の操作性を向上させるために、前記ドレンパンに前記操作金具のガイド部材を設けることが望ましい。
上記のようなＵ字状部によるドレンホースの抱持力には限界があるので、それを補う方法として、上記略Ｕ字状取付部に平行して、別の略Ｕ字状金具を上記ドレンホースに装着する事が望ましい。
また前記固定手段の操作性を向上させる方法として、前記固定手段を、空気調和機の前面方向から操作可能であるようにする事ができる。
【０００６】
【作用】
上記のように構成することで、本発明に係る操作金具を空気調和機本体の前面側から押し或は引くだけでドレンホースをドレンパンから着脱することができる。
ドレンホースへの接続端が略Ｕ字状に形成された場合には、上記接続端を押し込むだけで簡単にドレンホースに対する接続状態を得ること或はドレンホースから取り外すことができる。
上記略Ｕ字状部を上記略Ｌ字の屈曲部の方向に開放された形状とした場合には、略Ｕ字状部の強度が向上する。
上記操作金具の操作は、空気調和機本体前面からの「押し」または「引き」という単純な動作であるが、この動作を更に確実に行なうために、前記ドレンパンに前記操作金具のガイド部材を設けることが望ましい。
更に上記略Ｕ字状取付部に平行して、別の略Ｕ字状金具を上記ドレンホースに装着すれば、接続端の取付け強度が向上することになる。
また、前記固定手段の操作方向を操作金具と同様、空気調和機の前面方向から操作可能であるように構成することで、操作性は更に向上する。
【０００７】
【発明の実施の形態】
以下、本発明の第１実施形態について、図を用いて説明する。ここに図１は、本発明の一実施形態に係る空気調和機全体の側断面図を示し、図２、図３は該実施形態に使用可能なドレンホース固定具を表している。また、図４は、本発明の一実施形態に係る操作金具のドレンホースへの取付操作を示す図、図５は、本発明の一実施例の係る操作金具のドレンホースへの取付操作を示す図、図６は、図２に示した実施形態に係る操作金具を示す斜視図、図７は、図５に示した実施例に係る操作金具を示す斜視図、図８は、同実施例に係る操作金具と共に使用する止め輪の正面図、図９は、実施例に係る操作金具のドレンパンへの取付前の状態を示す図（ａ）、と取付後の状態を示す図（ｂ）である。
【０００８】
図３で明らかなように、ドレンホース６のドレンパン５出口５ａとの接続端近傍に形成された環状溝６ａには、操作金具７が嵌合固定されている。この操作金具７は、図１に示すように後面２ａが壁に取り付けられる空気調和機本体２の前面２ｂ側から操作できるように、前面方向へ突出する操作端７ａを具備している。また該操作端７ａには、本発明による固定手段の一例である係止孔９が穿たれ、この係止孔９に差し込まれたネジ８ａにより、操作金具７が、ドレンパン５に固定されるように構成されている。
図１、図２、図３、図６を参照して、操作金具７の詳細について説明する。
図中、１は送風ガイド、２は空気調和機本体、３は熱交換器、４はファンである。
図６及び図２に示すように、この操作金具７は矢印Ｘで示す側面方向（図２の紙面に直角の方向）から見て略Ｌ字状に形成された横長の金具であり、操作端７ａと接続端７ｂとが屈曲部７ｅで接続された構造からなる。
上記操作端７ａの途中には、上記係止孔９が穿たれ、ドレンホース６への接続端７ｂは、矢印Ｙで示す後面から見て、ドレンホース６を抱持しやすいように略Ｕの字状に形成された二又状の腕７ｃ、７ｃを具備している。
また図１、図２に明らかな様に、ドレンパン５側、即ち空気調和機本体側には、上記操作端７ａを空気調和機の前後方向にガイドするガイド部材１０，１０が設けられ、操作端７ａの押しまたは引き操作を容易且つ確実にしている。
上記のようなドレンホース６をドレンパン５に取り付けるには、図３（ａ）に示すように、予め操作金具７を接続端７ｂに形成された二又状の腕７ｃ、７ｃを用いてドレンホース６の環状溝６ａに図示のように取り付けておく。その上で、図３（ａ）の様にドレンホース６とドレンパン５の出口５ａの軸心を合わせる。その後、操作端７ａを引くことで、（ｂ）のようにドレンホース６を出口５ａに挿入する。この際、操作端７を案内するガイド部材１０，１０が挿入操作を容易且つ確実にする。
ドレンホース６の挿入が完了すると、ネジ８ａにより操作金具７をドレンパン５或はその近傍の空気調和機本体に固定する。
次に、ドレンホース６をドレンパン５から取り外す場合には、上記の逆にネジ８ａを緩めた後、空気調和機本体の前面２ｂ方向から操作金具７の操作端７ａを後面２ａ方向へ押すだけで、ドレンホース６をドレンパン５から外すことができる。
再度ドレンホース６を取り付けるには、空気調和機本体前面側から操作金具７を引っ張るだけでよいが、その際、ガイド部材１０，１０が操作金具７を案内するので、作業は極めて容易となる。
【０００９】
以上述べた実施形態に係る操作金具７は、側面から見て略Ｌ字状であり、その接続端７ｂが、該接続端７ｂの先端７ｄ方向に開放された形状となっているため、腕部７ｃ、７ｃが片持ち状となり、若干強度的に問題がある。この点を改良した実施形態について図４、図７を用いて次に説明する。
図４はこの実施例に係る操作金具のドレンホースへの取り付け操作を示し、図７はこの実施例に係る操作金具の斜視図である。
この実施例に係る金具７０は、接続端７０ｂが後面側から見て略Ｕ字上に形成されていることは前記実施形態と同様であるが、上記略Ｕ字形状の開放部が、操作端７０ａと接続端７０ｂとが接続される屈曲部７０ｅの方向に開放されている。このように略Ｕ字状部の開放部が操作端７０ａと接続され、強度的に補強されているので、一度取り付けたドレンホース６が簡単には抜けない構造となっている。上記接続端７０ｂの強度を調整するするには、接続端７０ａに破線で示す切欠き７０ｆを形成し、この切欠きの奥行き寸法を調整すればよい。
この操作金具７０のドレンホース６への取り付け及び取り外し操作は図４に示されているので参照されたい。
また上記接続端７ｂ或は７０ｂによるドレンホース６の抱持力が問題であれば、図５に示すように、図８に示す単独の略Ｕ字状止め輪１１を図５に示す如く、接続端７ｂ或は７０ｂと平行に並べて環状溝６ａに嵌入しても良い。
更に、上記実施形態では、操作金具７をドレンパン５などに固定するネジ８ａがドレンホース６に直角の方向から止められるようになっており、ネジ８ａの操作がしづらい問題がある。
これを解決するためにこの実施例では、図９に示すように、操作金具７１の操作端７１ａにドレンホース５に直角方向のネジ止め片７１ｇを形成し、このねじ止め片７１ｇに係止孔９を形成すると共に、ドレンパン５側に上記ネジ止め片７１ｇと平行のネジ装着片７１ｈを設けることが望ましい。この場合、図９（ａ）に示すようにドレンホース６の芯をドレンパン出口５ａに合わせて、（ｂ）のようにドレンホース６を出口５ａに差し込むと、上記ネジ止め片７１ｇとネジ装着片７１ｈとのネジ孔が合致し、ここにネジ８ａを差し込むことで、ネジ８ａを空気調和機本体前面２ｂから操作できる様にする事が可能で、ネジの操作性が改善される。
【００１０】
【発明の効果】
以上の説明したように、本発明に係る空気調和機では操作金具が空気調和機本体前面方向へ突出しているので、空気調和機本体の前面側から操作金具を押し或は引くだけでドレンホースをドレンパンから着脱することができる。
ドレンホースへの接続端が略Ｕ字状に形成された場合には、上記接続端を押し込むだけで簡単にドレンホースに対する接続状態を得ること或はドレンホースから取り外すことができる。
上記略Ｕ字状部を上記略Ｌ字の屈曲部の方向に開放された形状とした場合には、略Ｕ字状部の強度が向上する。
更に、前記ドレンパンに前記操作金具のガイド部材が設けられた場合には、上記操作金具の押し或は引きの作業における操作性が向上する。
更にまた上記略Ｕ字状取付部に平行して、別の略Ｕ字状金具を上記ドレンホースに装着すれば、接続端の取付け強度が向上することになる。
また、前記固定手段の操作方向を操作金具と同様、空気調和機の前面方向から操作可能であるように構成することで、ドレンホースを固定するための操作性は更に向上する。
【図面の簡単な説明】
【図１】本発明の実施形態に係る空気調和機全体の断面図。
【図２】図１に示した実施形態に使用する操作金具の組立前の状態（ａ）、組立後の状態（ｂ）を示す側面図。
【図３】上記図２に示した操作金具のドレンパンへの取付前の状態を示す図（ａ）、と取付後の状態を示す図（ｂ）。
【図４】実施例に係る操作金具を示す図。
【図５】実施例に係る操作金具を示す図。
【図６】図２に示した実施形態に係る操作金具を示す斜視図。
【図７】実施例に係る操作金具を示す斜視図。
【図８】実施例に使用する止め輪の正面図。
【図９】実施例に係る操作金具のドレンパンへの取付前の状態を示す図（ａ）、と取付後の状態を示す図（ｂ）。
【図１０】従来例に係る空気調和機全体の側断面図。
【符号の説明】
１　送風ガイド
２　空気調和機本体
３　　　　　熱交換器
４　　　　　ファン
５　　　　　ドレンパン
５ａドレンパンの出口
６　　　　　ドレンホース
６ａ　環状溝
７　７０　７１　操作金具
７ａ　　７０ａ　７１ａ　操作端
７ｂ　　７０ｂ　７１ｂ　接続端
７ｃ　腕部
８ａ　ネジ
９　係止孔
１０　ガイド部材
７１ｇ　ネジ止め片
７１ｈ　ネジ装着片
【図１】
2004093049.tif 000003
【図２】
2004093049.tif 000004
【図３】
2004093049.tif 000005
【図４】
2004093049.tif 000006
【図５】
2004093049.tif 000007
【図６】
2004093049.tif 000008
【図７】
2004093049.tif 000009
【図８】
2004093049.tif 000010
【図９】
2004093049.tif 000011
【図１０】
2004093049.tif 000012